(57)【要約】【課題】簡単な構成により送風効率を向上させることができると共に、ブラシを効率よく冷却して長寿命化を図ることができる電動送風機を提供することを課題とする。【解決手段】羽根車２と、羽根車２の吐出側に配設され、複数の渦巻き型の静翼１７を有するディフューザ３と、ディフューザ３の吐出側に配設され、羽根車２を駆動する整流子１０及びブラシ１１を備えた整流子モータ４と、ディフューザ３が固定されると共に、羽根車３を覆うファンケース６が固定されるブラケット７と、ブラケット７に固定され、整流子モータ４を覆うと共に整流子モータ４を通過した気流が排出される第１排気孔１６を有するモータケース８とを備え、ブラケット７に、整流子モータ４を通過させずに気流を排出させるための第２排気孔２１を形成し、第２排気孔２１から排出される気流を前記ブラシ１１に当てるようにする。【選択図】         図１  
2005201157.tif 000002
【特許請求の範囲】
【請求項１】
羽根車と、羽根車の吐出側に配設され、複数の渦巻き型の静翼を有するディフューザと、ディフューザの吐出側に配設され、羽根車を駆動する整流子及びブラシを備えた整流子モータと、ディフューザが固定されると共に、羽根車を覆うファンケースが固定されるブラケットと、ブラケットに固定され、整流子モータを覆うと共に整流子モータを通過した気流が排出される第１排気孔を有するモータケースとを備え、前記ブラケットに、整流子モータを通過させずに気流を排出させるための第２排気孔を形成し、第２排気孔から排出される気流を前記ブラシに当てるようにしたことを特徴とする電動送風機。
【請求項２】
前記ブラケットは、整流子モータのロータの一側を回転自在に支持する軸受を保持する保持部と、保持部と連結する連結部とを有し、前記第２排気孔は連結部に形成されていることを特徴とする請求項１記載の電動送風機。
【請求項３】
前記モータケースとブラケットとの固定位置は、第２排気孔の近傍に位置していることを特徴とする請求項１または請求項２記載の電動送風機。
【請求項４】
前記第２排気孔は、羽根車の回転軸方向から見て、ブラシの位置に対して羽根車の逆回転方向側にずれた位置に形成されていることを特徴とする請求項１乃至請求項３の何れか１項に記載の電動送風機。
【発明の詳細な説明】
【技術分野】
【０００１】
本発明は、電動送風機に関するものであり、さらに詳しくは、例えば電気掃除機の掃除機本体内で集塵室の後方（下流側）などに配されて、所定方向への空気の流れを生じさせるディフューザを有する電動送風機に関するものである。
【背景技術】
【０００２】
この種の電動送風機は、整流子モータが固定されるモータケースと、羽根車を覆うファンケースが固定されるブラケットに夫々排気孔を形成し、羽根車からの気流をモータケース及びブラケット双方の排気孔から排出させるものが知られている。そしてこの構成により、排気損失が多くなる整流子モータを介してモータケースの排気孔から排出される気流を減らすと共に、排気損失が少ないブラケットの排気孔から排出させる気流を新たに発生させることにより、整流子モータの冷却効率減少を最小限にすると共に、送風効率を向上させている（例えば、特許文献１参照）。
【特許文献１】特開平１０−２６０９９号公報
【発明の開示】
【発明が解決しようとする課題】
【０００３】
整流子モータを介してモータケースの排気孔から排出される気流は、整流子モータ、中でも特に温度が高くなる整流子に当接するブラシを冷却する作用を有している。しかしながら、紙パック等の集塵部が目詰まりして送風効率が低下したり、夏季等の周囲温度が高い時に使用した場合には、ブラシの冷却が不十分になり、整流子に当接することによりブラシから飛び散るカーボンの粉が高熱により溶融してブラシの周辺に付着し、ブラシの整流子方向への摺動性に支障が生じて整流子モータの寿命が短くなる虞があった。
【０００４】
本発明は、このような課題を解決するためになされたものであり、簡単な構成により送風効率を向上させることができると共に、長寿命化を図ることができる電動送風機を提供することを課題とする。
【課題を解決するための手段】
【０００５】
上記課題を解決するための手段は、羽根車と、羽根車の吐出側に配設され、複数の渦巻き型の静翼を有するディフューザと、ディフューザの吐出側に配設され、羽根車を駆動する整流子及びブラシを備えた整流子モータと、ディフューザが固定されると共に、羽根車を覆うファンケースが固定されるブラケットと、ブラケットに固定され、整流子モータを覆うと共に整流子モータを通過した気流が排出される第１排気孔を有するモータケースとを備え、前記ブラケットに、整流子モータを通過させずに気流を排出させるための第２排気孔を形成し、第２排気孔から排出される気流を前記ブラシに当てるようにしたことを特徴とする。
【０００６】
上記課題を解決するための手段において、前記ブラケットは、整流子モータのロータの一側を回転自在に支持する軸受を保持する保持部と、保持部と連結する連結部とを有し、前記第２排気孔は連結部に形成されてもよい。
【０００７】
また、前記モータケースとブラケットとの固定位置は、第２排気孔の近傍に位置してもよい。
【０００８】
また、前記第２排気孔は、羽根車の回転軸方向から見て、ブラシの位置に対して羽根車の逆回転方向側にずれた位置に形成されてもよい。
【発明の効果】
【０００９】
本発明の請求項１の構成によれば、第１排気孔を通過する空気と共に、第２排気孔から排気される空気により効率よくブラシを冷却することができるため、簡単な構成により送風効率を向上させることができると共に、ブラシを効率よく冷却して電動送風機の長寿命化を図ることができる等の効果を奏する。
【００１０】
本発明の請求項２の構成によれば、第２排気孔は強度が充分にあるブラケットの連結部に形成されているため、第２排気孔を形成することによるブラケットの強度の低下を防止することができる等の効果を奏する。
【００１１】
本発明の請求項３の構成によれば、第２排気孔の近傍で、モータケースとブラケットとが固定されているため、第２排気孔を形成することによるブラケットの強度の低下を防止することができる等の効果を奏する。
【００１２】
本発明の請求項４の構成によれば、羽根車の回転に伴い第２排気孔から羽根車の回転方向側に向けて斜めに排出される空気によりブラシを効率よく冷却することができるため、電動送風機の冷却効率を向上させることができる等の効果を奏する。
【発明を実施するための最良の形態】
【００１３】
本発明に係る電動送風機１の最良の形態を図１乃至図６に基づいて説明する。
【００１４】
本発明の電動送風機１は、外部から空気を吸引する羽根車２と、羽根車２の吐出側に配設され羽根車２から吐出される空気を整流する略円筒状のディフューザ３と、ディフューザ３の吐出側に配設され、ディフューザ３の外径より小径に形成されると共に、羽根車２を駆動する整流子モータ４と、羽根車２を覆うと共に、上方に空気流入口５を有するファンケース６と、ディフューザ３が固定されると共に、周縁部にファンケース６が固定されるブラケット７と、ブラケット７に固定されると共に、整流子モータ４を覆うモータケース８とから構成されている（図１参照）。
【００１５】
羽根車２を駆動する整流子モータ４は、モータケース８内に固定された図示しないステータと、ステータの内側に回転自在に配設されたロータ９と、ロータ９に連なってロータ９の下流側に配設された整流子１０と、整流子１０に当接するブラシ１１と、ブラシ１１を摺動自在に保持するブラシホルダー１２とから構成されている。また、ロータ９はその両側が一対の軸受１３により回転自在に支持されている。一対の軸受１３の一方はモータケース８に形成されたモータケース側保持部１４により保持されている。一対の軸受１３の他方はブラケット７に形成されたブラケット側保持部１５により保持されている。モータケース８には整流子モータ４を通過した空気を排気するための第１排気孔１６が形成されている（図１参照）。
【００１６】
ディフューザ３は、上流側に向けて渦巻状に突出形成された静翼１７により構成される複数の空気流路１８を有する略円筒状に形成されており、ネジ１９によりブラケット７に固定されている。ディフューザ３の静翼１７が重なり合う空気流路１８は、空気の流れを減速し動圧を静圧に回復させるために、図６に示すように正面から見て下流側に向かって略扇状に広がっている。図６において矢印は羽根車２の回転方向を示しており、上方（図１において左側）から見て羽根車２は半時計方向に回転するようになっている。
【００１７】
ブラケット７は略円板状の形状をしており、中央に軸受１３を保持するブラケット側保持部１５が形成されている。ブラケット側保持部１５の両側には、ブラケット７の外周縁からブラケット側保持部１５に連通すると共に、ブラケット側保持部１５を補強する連結
部２０が形成されている。連結部２０の外周側には一対の第２排気孔２１が形成されている。第２排気孔２１に対応する位置のモータケース８には、第２排気孔２１に連通する切欠部２２が形成されている。第２排気孔２１は、羽根車２の回転軸方向（電動送風機１の上下方向）から見てブラシホルダー１２に略対応する位置に形成されている。さらに、詳しくは、第２排気孔２１から羽根車２の回転方向側に向けて斜めに送風される風がブラシホルダー１２に当たるように、第２排気孔２１はブラシホルダー１２に対して羽根車２の逆回転方向側に若干ずらした位置に形成されている。第２排気孔２１の近傍にはモータケース８をブラケット７に固定するための螺子２３が配置されている（図４、図５参照）。
【００１８】
このように構成された電動送風機１にあっては、図１の矢印に示すように電動送風機１外の空気は、羽根車２の駆動によりファンケース６の空気流入口５から電動送風機１内に流入し、ディフューザ３を介してモータケース８内に送風されると共に、第２排気孔２１を介してモータケース８外に送風される。
【００１９】
ディフューザ３を介してモータケース８内に送風された空気は、整流子モータ４を通過する際に整流子モータ４の熱を奪いモータケース８に形成された第１排気孔１６を介してモータケース８外に排気される。この結果、整流子モータ４は冷却される。しかしながら、整流子モータ４を通過する空気量は、ブラケット７に形成された第２排気孔２１からモータケース８外に排気される空気の量だけ減少してしまう。そうなれば、整流子モータ４の温度、中でも特に温度が上昇しやすいブラシ１１の温度（通常１００℃〜１２０℃）が異常に上昇してしまって電動送風機１の寿命が低下する虞がある。
【００２０】
これに対して、本発明の形態では、第２排気孔２１はブラシホルダー１２に対応する位置に形成されているため、第２排気孔２１からモータケース８外に排気される空気は整流子モータ４を通過せずにブラシホルダー１２に当たりブラシホルダー１２を冷却する。そして、ブラシホルダー１２が冷却されることに伴いブラシ１１も冷却される。このようにして、第１排気孔１６を通過する空気と共に、第２排気孔２１から排気される空気により効率よくブラシ１１を冷却することができるため、ブラシ１１の温度が上昇することにより生じる電動送風機１の寿命低下を防止することができる。
【００２１】
また、排気損失が少ないブラケット７の第２排気孔２１から排出される気流を新たに発生させることにより、送風効率を向上させることができる。また、第２排気孔２１は強度が充分にあるブラケット側保持部１５の連結部２０に形成されているため、第２排気孔２１を形成することによるブラケット７の強度の低下を防止することができる。さらに、第２排気孔２１の近傍には、モータケース８をブラケット７に固定するための螺子２３が配置されているため、第２排気孔２１を形成することによるブラケット７の強度の低下を螺子２３止めすることによりさらに防止することができる。また、第２排気孔２１は、図４及び図５に示すようにブラシホルダー１２に対して羽根車２の逆回転方向にずらした位置に形成されているため、羽根車２の回転に伴い第２排気孔２１から羽根車２の回転方向側に向けて斜めに排出される空気を、ブラシホルダー１２に効率よく当てることができ、ブラシ１１の冷却効率を向上させることができる。
【００２２】
尚、第２排気孔２１は連結部２０に形成したが、この構成に限定されるものではない。第２排気孔２１をブラケット７の任意の位置に形成すると共に、第２排気孔２１に対応する位置にブラシホルダー１２を配設してもよい。
【００２３】
また、モータケース８をブラケット７に固定する螺子２３は、第２排気孔２１近傍に配置したが、この構成に限定されるものではない。任意の位置でモータケース８をブラケット７に螺子２３固定してもよい。
【００２４】
また、モータケース８とブラケット７とを螺子２３で固定したが、螺子２３を使用せずに、リベットによるカシメ、あるいはバーリングカシメ等の固定手段により固定してもよい。
【図面の簡単な説明】
【００２５】
【図１】本発明を実施するための最良の形態を示す電動送風機を側方から見た半断面図である。
【図２】同電動送風機のブラケットの平面図である。
【図３】同電動送風機のモータケースの平面図である。
【図４】同電動送風機の裏面図で、第２排気孔とブラシホルダーとの位置関係を示す。
【図５】同電動送風機の側面図で、第２排気孔とブラシホルダーとの位置関係を示す。
【図６】同電動送風機のファンケースを取外した状態の上面図である。
【符号の説明】
【００２６】
１    電動送風機
２    羽根車
３    ディフューザ
４    整流子モータ
６    ファンケース
７    ブラケット
８    モータケース
１０  整流子
１１  ブラシ
１６  第１排気孔
１７  静翼
２１  第２排気孔
【図１】
2005201157.tif 000003
【図２】
2005201157.tif 000004
【図３】
2005201157.tif 000005
【図４】
2005201157.tif 000006
【図５】
2005201157.tif 000007
【図６】
2005201157.tif 000008